(57)【要約】      （修正有）【課題】例えば和服着用時において装着が容易で、和服を着用している際の美観を意識したナプキンを提供する。【解決手段】ナプキン１は、例えば和服着用の使用者の首元から胸元にかけての前面を覆うために和服の襟及び半襟に相当する部分を掛け襟仕立ての形状とした上部２と、この上部２の下方に連続して位置して前記使用者の胸元から腹部以下の前面を覆うために平面状部分を有する下部３とを連続的に構成し、上部２の上端側には、使用者が着用している和服の襟元の襟の中に差し込み可能な小片部６を有する。【選択図】図１
0003217633.tif 000002
【実用新案登録請求の範囲】
【請求項１】
使用者の少なくとも首元から胸元にかけての前面を覆う上部と、この上部の下端に連続しながら位置して前記使用者の主として腹部以下の前面を覆う平面状部分を有する下部と有し、少なくとも前記上部の表面には着物の柄を設けると共に、その上端側の内側の左右個所に前記使用者が着用している衣類の襟元の襟の中に差し込み可能な小片部を有していることを特徴とするナプキン。
【請求項２】
前記上部は、少なくとも和服の襟に相当する襟部と、半襟に相当する半襟部とを有する見た目が掛け襟仕立ての和服風となるように少なくとも前記半襟に相当する部分を除いて着物地からなり、前記下部は前記上部よりも軽量な布地からなることを特徴とする請求項１に記載したナプキン。
【考案の詳細な説明】
【技術分野】
【０００１】  本考案は、例えば和服着用時において食事を摂る際に使用することにより、当該和服への飲食物の付着を予防することができるナプキンに関する。
【背景技術】
【０００２】  衣類への飲食物の付着を防ぐナプキンとして、紙ナプキン若しくはファッションペーパーの裏面上部に複数の粘着部を設け、粘着部の表面に剥離紙を設けたものがある（特許文献１参照）。【０００３】  また、首掛けに必要な形状をなす線材を一辺に縫い込んだ、装着するに首の後ろで結ぶ必要が無い脱着容易なものがある（特許文献２参照）。
【先行技術文献】
【特許文献】
【０００４】
【特許文献１】実開平７−３０８４５号公報
【特許文献２】特開２００３−６４５０３号公報
【考案の概要】
【考案が解決しようとする課題】
【０００５】  斯かる先行技術文献では、事前にナプキンへ粘着部の装着（特許文献１）や線材を縫い込む（特許文献２）などの追加部品を設ける作業、および、ナプキンの使用時においては、粘着部の剥離紙を剥がす（特許文献１）、首に合わせてナプキンを調整しながらセットする（特許文献２）などの手間が必要であり、特に和服着用時において食事を摂る際には、困難を伴うものであった。【０００６】  また、エプロンも兼ねる着物用ナプキンは存在するが、和服を着用している際の美観を意識したナプキンはなかった。
【課題を解決するための手段】
【０００７】  本考案は、上記問題を解決するために、使用者の少なくとも首元から胸元にかけての前面を覆う上部と、この上部の下端に連続しながら位置して前記使用者の主として腹部以下の前面を覆うために平面状部分を有する下部と有し、少なくとも前記上部の表面には着物の柄を設けると共に、その上端側の内側の左右個所に前記使用者が着用している衣類の襟元の襟の中に差し込み可能な小片部を有するものである。【０００８】  特に、前記上部は、少なくとも和服の襟に相当する襟部と、半襟に相当する半襟部とを有する見た目が掛け襟仕立ての和服風となるように少なくとも前記半襟に相当する部分を除いて着物地からなり、前記下部は前記上部よりも軽量な布地からなるものである。
【考案の効果】
【０００９】  本考案に係るナプキンは、和服の着用時において食事を摂る際に、前記小片を和服の半襟の肌側に差し込むだけで前記ナプキンの装着及び使用ができるため、首の位置を確認しながら装着する必要がなく、襟元の形を崩すことなく、簡便に装着でき、和服使用時において違和感なく使用できる。【００１０】  また、使用者の首元から胸元にかけての前面を覆うための前記上部の多くの面積の生地を和服の着物地を使用することにより、和服を着用している際の美観を意識したナプキンとなる。
【図面の簡単な説明】
【００１１】
【図１】  本考案の実施例の平面図である。
【図２】  同上の使用状態を説明する説明図である。
【考案を実施するための形態】
【００１２】  本考案に係るナプキンは、使用者の少なくとも首元から胸元にかけての前面を覆う上部と、この上部の下端に連続しながら位置して前記使用者の主として腹部以下の前面を覆う平面状部分を有する下部と有し、少なくとも前記上部の表面には着物の柄を設けると共に、その上端側の内側の左右個所に前記使用者が着用している衣類の襟元の襟の中に差し込み可能な小片部を有する。
【００１３】  特に、前記上部は、少なくとも和服の襟に相当する襟部と、半襟に相当する半襟部とを有する見た目が掛け襟仕立ての和服風となるように少なくとも前記半襟に相当する部分を除いて着物地からなり、前記下部は前記上部よりも軽量な布地からなる。
【実施例】
【００１４】  以下、添付図面に基づいて本考案の実施例を説明する。【００１５】  本考案のナプキン１は、使用者の少なくとも首元から胸元にかけての前面を覆う上部２と、この上部２の下端に連続しながら位置して前記使用者の主として腹部以下の前面を覆う平面状部分を有する下部３とから構成されている。【００１６】  斯かるナプキン１は、上部２と下部３とを一枚の布または紙にて製作することができるし、布で製作する場合には、上部２と下部３とを同一または異なる素材を用いて連結し、何れにおいても少なくとも上部２の表面には着物の柄を設ける。【００１７】  本実施例では、ナプキン１を構成する上部２と下部３とを異なる布を繋げて構成していると共に、上部２の表面には、着物の柄を意図して和服の襟に相当する襟部４と、半襟に相当する半襟部５とを異なる布を用いて上部２の見た目が掛け襟仕立ての和服風に構成している。【００１８】  そして、少なくとも上部２の上端側の内側の左右個所には、各１個ずつ前記使用者が着用している衣類の襟元の襟の中に差し込み可能な小片部６を設けており、この小片部６を設ける上部２の前記個所と小片部６とには、別部材からなる芯（図示しない）を入れて補強することが望ましい。【００１９】  ナプキン１の下部３は、縦方向に長いハンカチあるいはエプロン状となっており、フリル付であったり、刺繍を入れたり、模様を印刷したりする等の上部２に拘らず単独で任意のデザインを施すことができるもので、口元や手等の汚れを拭き取る機能を有している。【００２０】  斯かるナプキン１は、使用者が小片部６を内側へ折って着用している和服（衣類）の襟元の襟の中に差し込むことによりナプキン１を装着することができるもので、首の位置を確認しながら装着する必要がなく、使用者が着用している和服の襟元の形を崩すことなく、簡便に使用できるもので、着物を装うかのようにナプキン１を楽しめる。【００２１】  また、少なくとも半襟部５を除いた上部２を着物地（布）、下部３を上部２よりも軽量なハンカチ等に用いることができる繊維（布）にて製作することにより、使用者が着用している和服とコーディネートしてナプキン１が使用される状況に応じたナプキン１の存在を楽しみつつ、かつ、違和感のない着用姿で食事を摂ることができると共に、ナプキン１の軽量化が可能となる。【００２２】  なお、ナプキン１の上部２を着物地で構成する場合の生地及び柄については、一般的な和服、喪服、振袖、浴衣等の着物の種類に合わせて複数種類を製造及び用意しておき、着用する着物（衣類）に応じて適宜使い分けることも可能であり、ナプキン１が一層目立つことなく（違和感なく）使用できるものとなる。【００２３】  昨今の着物離れで反物が着物として売れ細る現状で、本考案により消えゆく伝統織物等の需要を増やし、着物で食事の垣根を低く出来たらと願うばかりであり、購入者側からすれば、一反より安価で、様々な染織を体験できるというメリットがある。【００２４】  本考案に係るナプキン１は、実用品としてだけでなく、装飾品としても用いることができ、更に、ＴＰＯに合わせて、例えば、使用者が着用している振袖に合わせた振袖柄、法事の際は黒やグレーを基調とする柄、浴衣の際は浴衣地で浴衣��の柄、観光地では特産の布地や柄で作成することもできる。【００２５】  なお、本考案のナプキンは、和服（衣類）着用時にのみの使用に限定することなく、洋服（衣類）着用時に使用しても差し支えないもので、例えば訪日した外国人へのおもてなしとして食事の際に和服着用を疑似体験してもらえる効果を有しており、お土産としての利用も可能である。
【符号の説明】
【００２６】  １  ナプキン
２  上部
３  下部
４  襟部
５  半襟部
６  小片部
【図１】
0003217633.tif 000003
【図２】
0003217633.tif 000004